Podtech/llm-jp-corpus-v4-ja_patent huggingface dataset:
(57)【要約】【課題】顎関節運動の再現を伴い上下を容易に分割できる咬合器の関節構造を提供する。【解決の手段】下弓の関節頭に磁石を取り付け、対する上弓の関節顆路部は磁性金属板によって磁力を応用した関節頭の回転及びスライド運動を咬合器で再現可能にするとともに上弓左右関節顆路の中央前方部に顆路角度誘導板を設置し、下弓左右関節頭の中央前方部には顆路角度調整ねじを取り付けることにより左右関節頭と３点による顎関節の動きを再現させなおかつ上下弓の取り外しも容易となる。以上を特徴とする咬合器の関節構造にする。【選択図】図１
2012183281.tif 000002
【特許請求の範囲】
【請求項１】
磁性金属製の顆路板と、磁石製の顆頭による磁力で吸着させる関節と顆路角調節板と顆路角調節ねじにより構成された咬合器の関節構造
【発明の詳細な説明】
【技術分野】
【０００１】本発明は、歯科用咬合器の関節構造に関するものである
【背景技術】
【０００２】従来、多くの歯科用咬合器があった。（特許文献１〜１６参照）
また、磁石による咬合器の関節構造があった。（特許文献１７参照）
【先行技術文献】
【０００３】
【特許文献１】特許公開２００９−１２５０８６
【特許文献２】特許公開２００８−１１３７１７
【特許文献３】特許公開２００８−６１４４
【特許文献４】特許公開２００７−３００９８４
【特許文献５】特許公開２００６−２３０７２６
【特許文献６】特許公開２００６−２１０３３
【特許文献７】特許公開２００５−２７８６５７
【特許文献８】特許公開２００４−３５０７９０
【特許文献９】特許公開２００４−１３６０７２
【特許文献１０】特許公開２００４−１０５６５１
【特許文献１１】特許公開２００４−４２３
【特許文献１２】特許公開２００３−２７５２２６
【特許文献１３】特許公開２００３−２３５８７３
【特許文献１４】特許公開２００２−３６０６０７
【特許文献１５】特許公開２００２−３５０１４
【特許文献１６】特許公開２０００−４２００４
【特許文献１７】特許公開２００２−２０９９１５
【発明の概要】
【発明が解決しようとする課題】
【０００４】そのために、次のような問題点があった。
（イ）額関節の３次元的運動の再現を伴い上下容易に分割できる構造がなかった。
本発明は、これらの問題点を解決するためになされたものである。
【課題を解決するための手段】
【０００５】下弓の関節頭に磁石を取り付け、対する上弓の関節顆路部は磁性金属板によって磁力を応用した関節頭の回転及びスライド運動を咬合器で再現可能にするとともに上弓左右関節顆路の中央前方部に顆路角度誘導板を設置し、下弓左右関節頭の中央前方部には顆路角度調整ねじを取り付けることにより左右関節頭と３点による顎関節の動きを再現させなおかつ上下弓の取り外しも容易となる構造にする。
以上を特徴とする咬合器の関節構造である。
【発明の効果】
【０００６】従来のような複雑な構造がなくなり関節の自由運動も阻害されることなく、咬合器の取り扱いが容易かつ明快であるとともに作業効率も向上する。
【図面の簡単な説明】
【０００７】
【図１】本発明の図
【発明を実施するための形態】
【０００８】以下、本発明の実施の形態について説明する。
（イ）上弓左右関節顆路部に磁性金属板を取り付ける。
（ロ）上弓左右関節中央前方部に顆路角度誘導板を設置する。
（ハ）下弓左右関節頭に磁石を取り付ける。
（ニ）下弓左右関節頭中央前方部に顆路角度調整ねじを設置する。
本発明は以上のような構成で、（イ）、（ハ）の磁力による吸着力で上下を連結させ、（ニ）の顆路角度調整ねじの調節により顆路角の調節と（ロ）の顆路角度誘導板で顆路の誘導を行えるとともに３点で咬合を安定させ磁力の範囲内において関節の自由運動を阻害することなく、上下の分離も容易な咬合器の関節構造とする。
【符号の説明】
【０００９】１  咬合器上弓
２  咬合器下弓
３  磁石関節頭
４  磁性金属板関節顆路
５  顆路角度調整ねじ
６  顆路角度誘導板
【図１】
2012183281.tif 000003
(57)【要約】【課題】右腕を、右肩から背中にまわし、左腕を左脇から背中にまわし、両手を結ぶ動作をする時、両手が届かないと結ぶことが出来ず、より柔軟を高める運動にならない。  本発明は、柔軟運動をする時の補助具を提供する。【解決手段】長方形の板状のものに、真ん中から左右半分ずつに分け、左が表半分なら右が裏半分、それぞれに凸部を設ける。凸部は、左の表半分に３箇所設け、右の裏半分に３個所設け、長方形の板状の外側から内側に向かって握れるような形状で、凸部の内側に凹部を設ける。凸部には外側から順に１，２，３の数字を設けたことを特徴とする柔軟運動をする時の補助具。【選択図】図１
2012183279.tif 000002
【特許請求の範囲】
【請求項１】
長方形の板状のものに、真ん中から左右半分ずつに分け、左が表半分なら右が裏半分、それぞれに凸部を設け、凸部は、左の表半分に３箇所設け、右の裏半分に３個所設け、長方形の板状の外側から内側に向かって握れるような形状で、凸部の内側に凹部を設け、凸部には外側から順に１，２，３の数字を設けた柔軟運動をする時の補助具。
【発明の詳細な説明】
【技術分野】
【０００１】  本発明は、腕や身体を伸ばしたり曲げたりする運動の際に利用する補助具に関するものである。
【背景技術】
【０００２】  従来、右腕を右肩から背中にまわし、左腕を左脇から背中にまわし、両手を結ぶ動作をする時、身体の柔軟性の有無によって両手を結ぶことが困難な場合が多くあった。また、背中で両手を結ぶのが困難な場合、結べるようにするための補助具がなかった。
【発明の概要】
【発明が解決しようとする課題】
【０００３】  右腕を右肩から背中にまわし、左腕を左脇から背中にまわし、両手を結ぶ動作をする時、両手が届かないと結ぶことが出来ず、より柔軟を高める運動にならない。
本発明は、以上の問題点を解決するためになされたものである。
【課題を解決するための手段】
【０００４】  長方形の板状のものに、真ん中から左右半分ずつに分け、左が表半分なら右が裏半分、それぞれに凸部を設ける。凸部は、左の表半分に３箇所設け、右の裏半分に３個所設け、長方形の板状の外側から内側に向かって握れるような形状で、凸部の内側に凹部を設ける。凸部には外側から順に１，２，３の数字を設ける。
以上の構成よりなる柔軟運動をする時の補助具である。
【発明の効果】
【０００５】  右腕を右肩から背中にまわし、左腕を左脇から背中にまわし、両手を結ぶ動作をする時、両手が届かないと結ぶことが出来ず、より柔軟を高める運動にならないということを本発明により解消し、柔軟性を高ようという期待感や目標をもつことが出来る。
本発明は、柔軟性を身に付けるのに役立てることができる。
【図面の簡単な説明】
【０００６】
【図１】本発明の側面図
【図２】本発明使用状態を示す図
【発明を実施するための形態】
【０００７】  以下、本発明の実施の形態を説明する。
（イ）長方形の板状（１）のものに、真ん中から左右半分ずつに分け、左が表半分なら右が裏半分、それぞれに凸部（２）を設ける。
（ロ）凸部（２）は、左の表半分に３個所、右の裏半分に３個所設ける。
（ハ）凸部（２）は、長方形の板状（１）の外側から内側に向かって握れるような形状で、凸部（２）の内側に凹部（３）を設ける。
（ニ）凸部（２）には外側から順に１，２，３の数字（４）を設ける。
本発明は、以上のような構造である。
本発明は、
（イ）右腕を右肩（５）から背中（６）にまわし、左腕を左脇（７）から背中（６）にまわし、両手を結ぶ動作をする時、両手が届かない場合に使用する。
（ロ）右手と左手で握り、それぞれが引っ張るようにして使用する。
（ハ）柔軟性が高まるにつれて、数字（４）の１の設けてある凸部（２）から、数字（４）の３の設けてある凸部（２）へと握れるようになる。
また、右腕と左腕を逆にして本発明を使用することができる。
また、本発明を、表と裏を逆にして使用することができる。
【符号の説明】
【０００８】  １長方形の板状、２凸部、３凹部、４数字、５肩、６背中、７脇
【図１】
2012183279.tif 000003
【図２】
2012183279.tif 000004
(57)【要約】【課題】正六面体複数で構成している図柄を個々の正六面体の面の組み合せを変えることによって数多くの変形図柄を作って楽しむ遊具で、ゲーム性とパズル性を兼ね備えているため、幼児や小学生の思考の発達に、そして高齢者の認知症の予防や進行の遅延に役立つ正六面体を用いた図柄変形遊具である。【解決手段】正六面体１と同じ大きさのものを図２のようにたて四個よこ四個の平面正方形に並べ、十六個でできた六平面に図３の基本図柄六種類を作成し、その六図柄をもとに個々の正六面体１の面を組みかえることによって図４の例示図柄のように多数の変形図柄を作る正六面体図柄変形遊具。【選択図】図３
2012183276.tif 000002
【特許請求の範囲】
【請求項１】
同じ大きさの正六面体を複数用いて平面状の正方形又は長方形を作り、その正方形又は長方形を形作る六つの各面に異なった図柄を六種類作成し、この六種類の図柄を構成している個々の正六面体の面の組み合わせを変えることによって、正方形又は長方形の面に作られていたもとの六種類の図柄とは異なった図柄を多数構成させて楽しむ遊具で、正六面体を複数用いた図柄変形遊具。
【発明の詳細な説明】
【技術分野】
【０００１】この発明は正六面体複数で作る六面の図柄を個々の正六面体の面を組み変えて、もとの図柄とは異なった数多くの変形図柄を作成して楽しむ遊具であり、正六面体を用いたゲーム性とパズル性を兼ねそなえた図柄変形遊具に関するものである。
【背景技術】
【０００２】複数の正六面体で構成する六面の六種類の図柄を変化させ多くの異なった変形図柄を作成して楽しむ正六面体遊具はなかった。【０００３】
【特許文献】登録実用新案  第３１５４０８９号  登録実用新案  第３０７０７１８号  実用新案公開平  ５−５１７７
【発明の概要】
【発明が解決しようとする課題】
【０００４】従来の六面体遊具はサイコロ、絵と文字を書いた玩具、積木、六面体連結式ルービックキューブ、六面画像合せ等はあるが複数の正六面体で作る正方形または長方形の六面上に作成した六種類の図柄を個々の正六面体の面を組み変えることによって、もとの図柄とは異なった変形図柄を作成して楽しむ正六面体図柄変形遊具はなかった。
【課題を解決するための手段】
【０００５】この発明は正六面体複数で作る六面の図柄を変形させて楽しむ遊具で、これを図面によって説明すれば図１の正六面体１と同じものを十六個、図２のようにたて四個よこ四個の平面状に並べ、十六個で平面正方形を作る。十六個で構成する平面正方形の六面の各面をＡ面、Ｂ面、Ｃ面、Ｄ面、Ｅ面、Ｆ面とし、その各面に六種類の異なった図柄、図３の基本図柄Ａ面図、Ｂ面図、Ｃ面図、Ｄ面図、Ｅ面図、Ｆ面図を作り、それを基本の六図柄とする。その六図柄を構成する十六個の正六面体１の面をそれぞれ組み変えてもとの基本の六図柄とは別の図柄、図４に示す変形図柄（１）から変形図柄（３０）のように図柄を変形させて遊ぶ正六面体を用いた図柄変形遊具である。
【発明の効果】
【０００６】この発明は正六面体１複数で作る六面の図柄を個々の正六面体１の面を組み変えて、図柄の変化を楽しむ遊具のため、正六面体１を収納する箱蓋に図３の基本図柄と図４の変形図柄を表示しておけば個人でも数人でも楽しむことが出来る。又図４の変形図柄に名前を例えば変形図柄（１）ひな人形（２）ひげじいさん（３）忍者の手裏剣（４）四ひきのキツネ（５）かえるさん（６）元気マン、等の名前を付けて図柄の名前だけを表示して遊べば変形図柄作成競技としても楽しめる。それにこの正六面体図柄変形遊具はゲーム性とパズル性を兼ね備えているため幼児や小学生の思考の発達に、そして高齢者の認知症の予防や進行の遅延にも役立つ遊具である。
【図面の簡単な説明】
【０００７】
【図１】正六面体１の斜視図
【図２】正六面体１と同じものを十六個、同一面で正方形に並べた六面の平面図
【図３】図２のＡＢＣＤＥＦの六面に作成した六種類の基本図柄
【図４】図３の基本図柄六種類を作成している正六面体１の面を組み変えて作った三十種類の変形図柄の例示図柄
【発明を実施するための最良の形態】
【０００８】正六面体１と同じ大きさのものを十六個、図２のように、たて四個よこ四個の平面状の正方形に並べ、十六個で構成された平面正方形ＡＢＣＤＥＦの六面を作る。【０００９】図２のＡＢＣＤＥＦの各六面に異なった六種類の図柄、Ａ面図、図２のＡ面にａ面の一辺の長さと同じ直径の円をａ面が四個接する点を中心に五個Ａ面図の位置に配置したもの。Ｂ面図、図２のＢ面にｂ面が四個接するｂ面の中心点を直線で結び正方形を五個Ｂ面図の位置に配置したもの。Ｃ面図、図２のＣ面にｃ面の一辺の長さと同じ直径の円をｃ面が二個接する辺の中心に八個Ｃ面図の位置に配置したもの。Ｄ面図、図２のＤ面にｄ面の一個の面に一辺の中心から平行する辺の両端を直線で結び直角三角形二個と二等辺三角形一個を作り同じものを十六個Ｄ面図の位置に配置したもの。Ｅ面図、図２のＥ面にｅ面の一個の面に対角線を引き二等辺直角三角形を二個作り同じものを十六個Ｅ面図の位置に配置したもの。Ｆ面図、図２のＦ面にｆ面が四個接する辺の中心を直線で結んだ正方形を五個Ｆ面図の位置に配置したもの、を作成しこれを基本図柄とする。【００１０】十六個の正六面体１で構成している図３の基本図柄の六図柄をそれぞれの正六面体１、十六個の各面を組み変えることによって図４に示す変形図柄（１）から変形図柄（３０）のように図柄を変形させて楽しむ正六面体図柄変形遊具である。【００１１】また、図３の基本図柄を変えることによって図４の変形図柄も変えられ、正六面体１の数を増減することによって難易度も調整できる。【００１２】収納ケースは正六面体１を十六個並べたとき、個々の正六面体１が出し入れしやすい広めで浅底深蓋の箱に納め、蓋に図３の基本図柄と図４の変形図柄を表示しておくとスムーズに遊ぶことができる。
【符号の説明】
【００１３】１  正六面体
ａ  正六面体１のａ面
ｂ  正六面体１のｂ面
ｃ  正六面体１のｃ面
ｄ  正六面体１のｄ面
ｅ  正六面体１のｅ面
ｆ  正六面体１のｆ面
Ａ  正六面体１と同じもののａ面を十六個正方形に並べたＡ面の平面図
Ｂ  正六面体１と同じもののｂ面を十六個正方形に並べたＢ面の平面図
Ｃ  正六面体１と同じもののｃ面を十六個正方形に並べたＣ面の平面図
Ｄ  正六面体１と同じもののｄ面を十六個正方形に並べたＤ面の平面図
Ｅ  正六面体１と同じもののｅ面を十六個正方形に並べたＥ面の平面図
Ｆ  正六面体１と同じもののｆ面を十六個正方形に並べたＦ面の平面図
【図１】
2012183276.tif 000003
【図２】
2012183276.tif 000004
【図３】
2012183276.tif 000005
【図４】
2012183276.tif 000006
(57)【要約】      （修正有）【課題】車両の夜間走行時に視認性を確保する車輪発光装置について、車輪の回転動作を視認可能とする車輪発光装置の発光方法を提供する。【解決手段】車両に備わる車輪３に蓄光機能部位２を設け、これに光照射手段１から光を照射することによって蓄光機能部位２を発光せしめる仕組みを有する車輪発光装置において、光照射手段１により照射する光の強弱変化を周期的に繰り返すことによって、車輪の回転動作が視認可能となり、車輪の回転が容易に認知可能となる。【選択図】図２
2012183989.tif 000002
【特許請求の範囲】
【請求項１】
車両に備わる車輪に蓄光機能部位を設け、これに対して光照射手段から光を照射することによって蓄光機能部位を発光せしめる仕組みを有する車輪発光装置における光照射手段の発光方法であって、照射する光の強弱変化を周期的に繰り返すことを特徴とする車輪発光装置の発光方法。
【発明の詳細な説明】
【技術分野】
【０００１】  本発明は、車輪に蓄光部材を備えた車輪発光装置において、車輪の回転動作を視認可能にする発光方法に関するものである。
【背景技術】
【０００２】  従来、二輪車等の車両に用いられるところの車輪円周形状に沿って蓄光機能部位を備えて、これに対して車輪と共に回転しない車体部位に取り付けられた光照射手段から光を照射することによって蓄光機能部位を発光せしめて円状の発光を得る車輪発光装置があった。
（特許文献１）（特許文献２）
【先行技術文献】
【０００３】
【特許文献１】特開２００４−２２４３２３号公報
【特許文献２】特開２００４−２７６８８７号公報
【発明の概要】
【発明が解決しようとする課題】
【０００４】  従来の車輪発光装置には、光の連続照射によって蓄光部材全周が均一に円発光するため、夜間の暗闇の中で車輪の回転動作が視認し難く、車輪の回転が止まっているのに装着車両が移動しているように見え、動いていることが直感的に認識し難いということが欠点としてあった。
本発明は、この問題点を解決するために成されたものである。
【課題を解決するための手段】
【０００５】  車両に備わる車輪（３）に蓄光機能部位（２）を設け、これに光照射手段（１）から光を照射することによって蓄光機能部位（２）を発光せしめる仕組みを有する車輪発光装置において、光照射手段（１）により照射する光の強弱変化を周期的に繰り返す。
本発明は以上の動作を特徴とする車輪発光装置の発光方法である。
【発明の効果】
【０００６】  本発明により、暗所において車輪（３）回転中に、円状の蓄光機能部位（２）上に自発光が明るい部分（４）と自発光が暗い部分（５）を周期的に生じさせることによって車輪の回転動作が視認可能となり、車輪発光装置装着車両が走行中に車輪の回転が止まっているように見える課題が解消される。
【発明を実施するための形態】
【０００７】  以下、本発明の実施の形態について説明する。
まず本発明の方法を導入する車輪発光装置の基本構成として、車輪（３）のホイールリムあるいはタイヤ等に蓄光機能部位（２）を車輪の円周形状に沿って備え、車輪と共に回転しない車体構造部、例えばフレーム、フロントフォーク、フェンダー等に先述の蓄光機能部位（２）に光照射可能に光照射手段（１）を備える。
【０００８】  本発明の方法は、先述の光照射手段（１）が蓄光機能部位（２）を照射する光の強弱変化を周期的に繰り返す。この強弱の変化とは光の点灯と消灯、すなわち点滅の繰り返しも含む。点滅動作は例えば発光手段の光源にＬＥＤ（発光ダイオード）を用いて、ＬＥＤ駆動回路（７）を発振回路（６）の出力で駆動する。あるいは、例えば駆動バー回路をマイコン出力によりプログラムで制御・点滅させてもよい。光の強弱変化を繰り返す場合には例えばＬＥＤを駆動するトランジスタの駆動電流を発振回路の出力で増減させる。また、例えばひとつのＬＥＤに対し、流す電流値に差を設けたＬＥＤ駆動回路を複数備えてマイコン出力によりプログラムでこれらを選択して切り替えてもよい。また、例えば１ヶ所の光照射手段（１）に複数のＬＥＤを用いて点灯数を変化させることによって実施してもよい。以上にあげた実施例を組み合わせて実施してもよい。これらの方法によって光の強弱変化を周期的に繰り返した結果、蓄光機能部位（２）上に連続的に発光が明るい部分（４）と発光が暗い部分（５）が生じることから、これらの回転移動が視覚化されて車輪の回転が容易に認知可能となる。
【図面の簡単な説明】
【０００９】
【図１】車輪発光装置の断面図
【図２】本発明の発光方法説明図
【図３】本発明の実施例回路図
【符号の説明】
【００１０】（１）  光照射手段
（２）  蓄光機能部位
（３）  車輪
（４）  自発光が明るい部分
（５）  自発光が暗い部分
（６）  発振回路
（７）  ＬＥＤ駆動回路
【図１】
2012183989.tif 000003
【図２】
2012183989.tif 000004
【図３】
2012183989.tif 000005
(57)【要約】【課題】  面倒な車のフロントガラスや、部分的な頑固な鳥のフンなどの汚れを簡単に除去洗浄する為の便利な車の汚れ洗浄具を提供します。【解決手段】ボデイにキャップの栓を２箇所設け、１つは栓、１つは通水口とし、何処にでもあるペットボトルと接続して、一般的なホコリ、黄砂、雨、雪等による汚れは穴の開いた方のロングブラシを使用し、鳥のフンなどは少し硬めの短いブラシで除去、長時間経った頑固で大き目の鳥のフンは厄介なので爪でこさぎ落としてからブラシを使い、いつでも車を洗浄することが出来る事を特徴とする車の汚れ洗浄具。【選択図】図１
2012183988.tif 000002
【特許請求の範囲】
【請求項１】
車の汚れ洗浄具となるボデイにキャップを２箇所設け、１つは栓、１つは通水口とし、何処にでもあるペットボトルと接続して、一般的なホコリ、黄砂、雨、雪等による汚れはロングブラシの間に水の出る穴を設けて水を出しながら洗浄し、鳥のフンなどは少し硬めの短いブラシで簡単に除去、あるいは長時間経った頑固で大き目の鳥のフンは厄介で落ちにくい為、爪でこさぎ落としてからブラシを使い、早く簡単に除去することを特徴としている車の汚れ洗浄具。
【発明の詳細な説明】
【技術分野】
【０００１】本発明は、多忙で思う様に洗車出来ない時、車の部分的な汚れ、特に走行時に気になるフロントガラスの汚れを洗う車の汚れ洗浄具に関するものである。
【背景技術】
【０００２】洗車は毎日出来るものでは無く、黄砂、雨、雪の後、また、特に鳥のフンによる汚れをぬれタオルで拭いていたが、乾くと、拭いた後が残り、尚更に汚れが広がりスッキリしないドライブをしていた。
【発明が解決しょうとする課題】
【０００３】そのために、次の様な問題点があった。
フロントや車の部分的な汚れはドライブ上、気に成っていました。
ワイパーで汚れを除去出来ても、ワイパーで除去出来ない上部の汚れは濡れタオルで拭いても、又、鳥のフンなどは乾燥すると尚更に汚れが広がり、すっきりしない気持ちで一日ドライブをしていた。
寒い時期の水、ぬれタオルを使用することは苦に成っていた。本発明は以上の問題点を解決しょうとするものです。
【課題を解決する為の手段】
【０００４】  車の汚れ洗浄具のボデイにキャップの栓を２箇所設け、１つは栓、１つは通水口とし、何処にでもあるペットボトルと接続する。
ボデイの一方にロングブラシを設け、そのブラシの間に数箇所の小さな穴を開ける。その反対側に硬めの短いブラシを設ける。
硬めのブラシの先に爪を設ける事を特徴としている。
【発明の効果】
【０００５】ペットボトルに水を入れて何本でも車に積んでおけば、汚れに気がついた時、また何時汚れても、直に洗浄することが出来て不快なドライブを解決することが出来る。
【発明を実施するための最良の形態】
【０００６】  以下、本発明の実施の形態を説明する。
（イ）  ボディ（４）にペットボトル（５）をセットする為のキャップを２箇所設け、通        水口（７）と栓（８）とする。
（ロ）  ボデイ（４）に洗車用の長めのブラシ（１）を設け、そのブラシの中に少しづつ        水を出す為の穴を設ける。
（ハ）  ブラシ（１）の反対側に硬質ブラシ（３）を設ける。
（二）  硬質ブラシ（３）の先に爪（２）を設ける。
本案は以上のような構造で、ペットボトル（５）に水が入っている時は、水が流出しない様に栓（８）をしておき、洗車の時に通水口（７）にセットし直す特徴となっている。
【図面の簡単な説明】
【０００７】
【図１】  本発明の斜視図
【図２】  本発明の斜視図
【図３】  本発明の分解斜視図
【図４】  本発明の使用状態を示す斜視図
【符号の簡単な説明】
【０００８】１  ブラシ
２  爪
３  硬質ブラシ
４  ボデイ
５  ペットボトル
６  穴
７  通水口
８  栓
【図１】
2012183988.tif 000003
【図２】
2012183988.tif 000004
【図３】
2012183988.tif 000005
【図４】
2012183988.tif 000006
(57)【要約】【課題】  マシュマロを食す際に手が汚れる及びそれにかかる水およびウエットティッシュの削減【解決手段】マシュマロを棒に刺したものの提供【特許請求の範囲】
【請求項１】
マシュマロおよび、それに近い甘味類、果物類を棒状のものに刺す、すべての権利
【発明の詳細な説明】
【技術分野】
【０００１】マシュマロを木及び棒状のものに刺す
【背景技術】
【発明の概要】
【発明が解決しようとする課題】
【０００２】［マシュマロを食す時の簡素化］
【課題を解決するための手段】［製造過程において棒に刺したものを提供する］
【発明の効果】［すでに棒に刺してあるものを用いて食すため、手が汚れなく、手を洗う際に使用する水及びウエットティッシュなどの削減、ごみの削減におけるＣｏ２の削減］
【発明を実施するための形態】
［チョコレートフォンデューを食す際に利用。］
【産業上の利用可能性】［チョコレートファウンテンを有するすべての人達の利用］
【受託番号】
(57)【要約】      （修正有）【課題】日本人の食生活、健康状態の向上、医療費の低減に寄与する、現代の日本人の味覚にあった味及び食感を有する、玄米健康食を提供する。【解決手段】生の玄米を、フードプロセッサーや石臼などで粉状に粉砕する。同様に、生の種実類、およびレーズン等を、粉状に粉砕する。その際に、粉状になった玄米を加えることにより、これらの材料の粉状混合物である玄米健康食を得る。【選択図】なし【特許請求の範囲】
【請求項１】
生の玄米、種実類、レーズン等を用い、それを粉砕して食することを特徴とする玄米健康食。
【発明の詳細な説明】
【技術分野】
【０００１】  本発明は、生の玄米及びドライフルーツを原料とした食品の製造方法、及び玄米及びドライフルーツに関する
【背景技術】
【０００２】  玄米は通常、炊飯器や、圧力鍋などを用い炊飯して食す。【０００３】  しかし、玄米は加熱してしまうことにより、ビタミン、ミネラルなどの栄養成分が失われてしまう。【０００４】  そこで、今までに種々の食品が提案されている。例えば、甲田光雄氏による、特許第３０１９２６１号公報「生野菜健康食」には、生野菜を粉砕したものと生玄米粉による、健康食が提案されている。
【発明の概要】
【発明が解決しようとする課題】
【０００５】  しかしながら、玄米を生のまま粉砕した、生玄米粉と、生野菜を粉砕したものでは、いかに体に良いとは言え、味と食感からその食事を継続するのが困難であった。【０００６】  本発明は、生玄米粉をより食べやすい形で提供し、味と食感を改善し、日本人の食生活をより向上させるためのものである。具体的には、生の玄米を粉砕した物と、生の（乾燥させただけ）の種実類（アーモンド、カシューナッツ、くるみ等）、および、レーズン等のドライフルーツを粉砕したものを用いる。レーズン等には、くこの実、プルーン、イチジク、マンゴー、ブルーベリー、ワイルドベリー、ラズベリー、あんず、パパイヤ、デーツ、パパイヤ等を含む。【０００７】  ところが、生の種実類およびレーズン等は、それだけで粉砕しようとすると、成分の油分や糖分などが邪魔をして、粉状に粉砕するのが困難である。
【課題を解決するための手段】
【０００８】  本発明は、以上の課題を達成するために以下の構成である。
まず、食品として、味と食感を改善するため、生の玄米（出来る限り有機無農薬のもの）、生の種実類、および生のレーズン等を用いる。【０００９】  生の玄米は、フードプロセッサーや、石臼などで、粉状に粉砕する。同様に、生の種実類、およびレーズン等を、粉状に粉砕する。その際に、粉状になった玄米を加えることにより、これらの材料が粉状になることを助ける。
【発明の効果】
【００１０】  生の玄米、種実類、及びレーズン等は、粉砕したものを混ぜあわせることにより、ビタミン、ミネラルをはじめとする栄養価が高く、現代の日本人にとって理想的な主食となる。また、合わせて生の野菜、特に生の葉物野菜（サニーレタス、白菜、小松菜、ほうれん草、水菜、春菊等）できるだけ無農薬、無化学肥料のものを一緒に食べることにより、理想的な食事となる。【００１１】  また、種実類、及びレーズン等を粉砕する際には、あらかじめ粉砕してある生の玄米粉をくわえることにより、その粉砕が容易となる。
(57)【要約】      （修正有）【課題】仕事に使わない時にも邪魔にならない老眼鏡を提供する。【解決手段】眼鏡を上下にほぼ半分づつに分け、下側半分に老眼用レンズを入れ、上側半分に素通し眼鏡レンズを入れた「半老眼鏡」とする。【選択図】図１
2012093687.tif 000002
【特許請求の範囲】
【請求項１】
本発明図に見られる様に、眼鏡の上下半分づつ、不側半分に老眼用レンズを入れ、上側半分は、素通し眼鏡レンズを入れた「半老眼鏡」を発明する請求。
【発明の詳細な説明】
【技術分野】
【０００１】  コドモの頃から、虫歯が一本もなく、眼も２．０である健康優良児である事を自慢にしていたが、その後、油断していたせいか、気が付くと、歯は虫歯だらけの遠視（老眼）になっており、仕事をするのにも老眼鏡が必要となっていた。しかしながら老眼鏡だが、【０００２】  仕事をしない時には、やたら邪馬になっており、旧式（従来）の技術では、首に吊って、ブラ下げたり、老眼鏡ケースに入れて持ち歩いたりしていた。
【背景技術】
【０００３】  現在の所無し。
【発明の開示】
【発明が解決しょうとする課題】
【０００４】  この様に仕事に使わない時には、やたら邪馬になって、お荷物になる老眼鏡は、もっとスムーズに利用できないか、と考えた。課題が生じた。
【課題を解決する為の手段】
【０００５】  本、発明図に見られる様に、眼鏡の上下、ほぼ半分づつ、下側半分に老眼用レンズを入れ、上側半分は、素通し眼鏡レンズを入れた「半老眼鏡」が発明された。
【発明の効果】
【０００６】  「若い頃眼が良い（２．０）と中年以後、老眼になり易い。」と言うが、この様に、目に近視が無くとも、遠視（老眼）のみの人々の人口が甚だ多い事の事実を世の中の人々は知らないでいた時、そこで、
【０００７】  上下、ほぼ半分づつ、下側半分に老眼用レンズを入れて使用して見た所、細かく文字を書いて読む仕事が大変楽になった。
【図面の簡単な説明】
【０００８】  上下、ほぼ半分づつ、下側半分に老眼鏡レンズを入れ、上側半分は、素通し眼鏡レンズを入れた「半老眼鏡」を立体図に示した図。
【実施例】
【０００９】  眼鏡の下半分３５％くらいの割り合いに遠視用レンズを入れ、上半分６５％くらいに素通しのレンズを入れて作るとベターであった。
【産業上利用の可能性】
【００１０】  「発明が起こると、現在実在している物品が市場から消滅する程のものである。」という事が本物の発明品である時、本発明、「半眼鏡」も、本当の発明品である時、現在市場にある「老眼鏡」が市場から消滅する程のものである事を産業界が理解した際、産業上利用の可能性は極めて大きい物と考えられた。
【符号の説明】
【００１１】１．本発明、「半眼鏡」本体を立体図を表わし、２．レンズの上半分を素通し眼鏡とし、３．レンズの下半分を老眼鏡にしている事を表わす。
【受託番号】
【００１２】  ０９０−６７９３−４０７７
【図１】
2012093687.tif 000003
(57)【要約】【課題】大きな改造等せずに省エネエアコンが製造できる又、既設エアコンも大きな改造せず省エネエアコンに出来る。夏期湿度の高い日本では、大変省エネである。【解決手段】省資源・省エネを特徴とする。【特許請求の範囲】
【請求項１】
冷房運転時に室内機より出るドレン水を室外機の熱交換器へ送り込み冷却効果が上がり省エネになる技術的な方法が私の権利です。
【発明の詳細な説明】
【技術分野】
【０００１】この発明は冷房運転時に室内機より排出するドレン水を室外機の熱交換器フィンで蒸発させるものである。
【背景技術】
【０００２】従来、ドレン水は屋外に流していた。
【発明の概要】
【発明が解決しようとする課題】
【０００４】省エネ化
【課題を解決するための手段】
【０００５】冷房運転時に室内機の熱交換器から滴出するドレン水は室温より−１０℃位低く、これを室外機の熱交換器のフィンで蒸発させる。
【発明の効果】
【０００６】室外機の熱交換器内の圧縮された高温高圧の冷媒ガスの温度は送風ファンで一層冷却されて、室内機の熱交換器の温度が下がる為リモコンで設定温度を上げれば節電され省エネエアコンになる。
【図面の簡単な説明】
【０００７】
【図１】本発明に関する図である
【図２】本発明に関する図である
【図３】本発明の分解図である
【図４】本発明の分解図である
【図５】本発明の分解図である
【図６】本発明に関する図である
【発明を実施する為の形態】
【０００８】以下、本発明を実施するための最良の形態について説明する。
［図５］の中に［図４］を入れてから［図３］を上にのせて一体にして［図６］の上部にはさみ込み使用する。
【符号の説明】
【０００９】  １  室内機
２  ドレンホース
３  排水パイプ
４  延長ホース
５  室外機側接続口
６  上蓋
７  吸水性スポンジ
８  ドレン水受容器
９  ドレンホース差込部
１０  室外機熱交換器
【図１】
2012242079.tif 000002
【図２】
2012242079.tif 000003
【図３】
2012242079.tif 000004
【図４】
2012242079.tif 000005
【図５】
2012242079.tif 000006
【図６】
2012242079.tif 000007
(57)【要約】      （修正有）【課題】屋外の設置における風雪害を軽減する太陽熱収集器を提供する。【解決手段】トラフ型長焦点反射鏡２及び短焦点反射鏡２a、ならびに双方の反射鏡に共通に使用される集熱管１で構成される太陽熱収集器であって、長焦点反射鏡２と短焦点反射鏡２aが交互に配置され且つ反射鏡間に隙間を有することを特徴とするものである。【選択図】図１
2012242042.tif 000002
【特許請求の範囲】
【請求項１】
集熱管と反射鏡にて太陽熱を集熱する太陽熱収集器であって、焦点距離が相違する
反射鏡を有することを特徴とする太陽熱収集器。
【請求項２】
前記記載の太陽熱収集器において、焦点距離が相違する反射鏡が焦点に向かって
多重配置されることを特徴とする請求項１記載の太陽熱収集器。
【請求項３】
前記記載の太陽熱収集器において、焦点距離が相違する反射鏡が上下方向に交互に
配置されることを特徴とする請求項１〜２記載の太陽熱収集器。
【請求項４】
前記記載の太陽熱収集器において、反射鏡間に隙間を有することを特徴とする請求項
１〜３記載の太陽熱収集器。
【発明の詳細な説明】
【技術分野】
【０００１】
本発明は、太陽熱収集器に関するものであり、特に集熱管とトラフ型反射鏡にて集熱
を行う太陽熱収集器に関する。
【背景技術】
【０００２】
従来、この種の太陽熱収集器では、太陽に向かい合ったトラフ状の反射鏡で集光した
太陽光を反射鏡の焦点に配置した集熱管により集熱する方式が主である。
この際、集熱の効率を上げるため反射鏡は、太陽に向かった全面が集熱管をはさんで
トラフ型に一定の焦点距離で配置されている。（例えば特許文献１）
【先行技術文献】
【特許文献】
【０００３】
【特許文献１】特開２００１−２０１１８７号公開
【発明の概要】
【発明が解決しようとする課題】
【０００４】
しかし、上述した従来の太陽熱収集器では、反射鏡が集熱管に対し十分全面に配置
されているため、屋外への設置時には風力を反射鏡全面で受けてしまうこととなり、
風速が早い場合には太陽熱収集器自体が破損する危険性が高くなる。
【０００５】
また、同様に、降雪時には、反射鏡の下側に積雪しやすくなり、降雪が続いた場合、
最終的に反射鏡のほぼ全面が雪で覆われてしまい太陽熱収集器の集熱能力が失わ
れてしまうという問題もある。
【０００６】
そこで、本発明は、上記の問題を軽減し、屋外の風雪にも耐力のある太陽熱収集器を
提供するものである。
【課題を解決するための手段】
【０００７】
本発明は、上記課題に対し焦点距離の異なるトラフ型反射鏡を有している。
【０００８】
焦点距離の短い反射鏡は、焦点距離の長い反射鏡の内側に配置され、更に交互に
位置しており、双方の反射鏡に共通となる焦点位置には集熱管が置かれている。
【０００９】
この配置において双方の反射鏡間では、焦点方向及び上下方向に隙間を有すること
となり、その隙間から風が抜けるため、風力を逃がす効果が発生する。
【００１０】
また、隙間を有したことにより、反射鏡への積雪は遅れる上、融雪時には早く雪が
隙間から落下していくこととなり、太陽熱収集能力を高く維持できることとなる。
【発明の効果】
【００１１】
よって、本発明は風で受ける力を低減し、風害による機器の破損を減少させることが
可能となり、且つ積雪時にも太陽熱収集能力を極力下げないような効果を提供する
ものである。
【図面の簡単な説明】
【００１２】
【図１】本発明の一実施例による太陽熱収集器の斜視概観図である。
【図２】本発明の一実施例による太陽熱収集器の側面概観図である。
【図３】従来例による太陽熱収集器の側面概観図である。
【発明を実施するための形態】
【００１３】
次に本発明の一実施例について図面を参照して説明する。図１は本発明の一実施例の
太陽熱収集装置の斜視概観図であり、図２は本発明の一実施例の側面概観図である。
【００１４】
本発明の太陽熱収集装置は、集熱管１と集熱管１に焦点が合ったトラフ型の長焦点
反射鏡２及び短焦点反射鏡２aからなっている。
【００１５】
このとき、集熱管１は太陽高度の変化に幅広く追従するために複数本の集熱管１の
集合体としてもよい。
【００１６】
また、反射鏡は複数の焦点距離のものを多重化してもよい
【００１７】
短焦点反射鏡２aは、集熱管1に向かって長焦点反射鏡２より内側にあり、各反射鏡は
交互に配置される。
【００１８】
この状態において、太陽光は、光路４を辿り集熱管１に集光されるが、前方からの受け
る風に関しては、長焦点集光鏡２と短焦点集光鏡２aの隙間３から抜けていくことが
可能となり、風力を軽減できる。
【００１９】
また、降雪に対しては、積雪はするものの隙間３から一部の雪は通り抜けていくことと
なり、反射鏡への積雪速度は遅くなる。
【００２０】
特に高い位置の反射鏡では下側に位置する反射鏡の積雪の影響を受けにくい。
【００２１】
更に、着雪した場合でも、融雪時には隙間３から溶けた雪が落下していくため早い
段階に反射鏡面が露出し、集光能力を早く回復することができる。
【符号の説明】
【００２２】
１．集熱管
２．長焦点集熱管
２a．短焦点集熱管
３．隙間
４．光路
５．従来技術の反射鏡
６．太陽
【図１】
2012242042.tif 000003
【図２】
2012242042.tif 000004
【図３】
2012242042.tif 000005
(57)【要約】      （修正有）【課題】屋外の設置における風雪害を軽減する集熱管とトラフ型反射鏡にて集熱を行う太陽熱収集器を提供する。【解決手段】四半円状のトラフ型長焦点反射鏡２及び短焦点反射鏡２a、ならびに双方の反射鏡に共通に使用さる集熱管１で構成される太陽熱収集器であって、長焦点反射鏡２と短焦点反射鏡２a間に隙間を有し、その隙間から風が抜けるため、風力を逃がす効果が発生する。【選択図】図１
2012242043.tif 000002
【特許請求の範囲】
【請求項１】
集熱管と反射鏡にて太陽熱を集熱する太陽熱収集器であって、焦点距離が相違する
反射鏡を有することを特徴とする太陽熱収集器。
【請求項２】
前記記載の太陽熱収集器において、四半円状のトラフ型反射鏡を有することを特徴
とする請求項１記載の太陽熱収集器。
【請求項３】
前記記載の太陽熱収集器において、反射鏡間に隙間を有することを特徴とする請求
項１〜２記載の太陽熱収集器
【発明の詳細な説明】
【技術分野】
【０００１】
本発明は、太陽熱収集器に関するものであり、特に集熱管とトラフ型反射鏡にて集熱を
行う太陽熱収集器に関する。
【背景技術】
【０００２】
従来、この種の太陽熱収集器では、太陽に向かい合ったトラフ状の反射鏡で集光した
太陽光を反射鏡の焦点に配置した集熱管により集熱する方式が主である。
この際、集熱の効率を上げるため反射鏡は、太陽に向かった全面が集熱管をはさんで
トラフ型に一定の焦点距離で配置されている。（例えば特許文献１）
【先行技術文献】
【特許文献】
【０００３】
【特許文献１】特開２００１−２０１１８７号公開
【発明の概要】
【発明が解決しようとする課題】
【０００４】
しかし、上述した従来の太陽熱収集器では、反射鏡が集熱管に対し十分全面に配置
されているため、屋外への設置時には風力を反射鏡全面で受けてしまうこととなり、
風速が早い場合には太陽熱収集器自体が破損する危険性が高くなる。
【０００５】
また、同様に、降雪時には、反射鏡の下側に積雪しやすくなり、降雪が続いた場合、最
終的に反射鏡のほぼ全面が雪で覆われてしまい太陽熱収集器の集熱能力が失われ
てしまうという問題もある。
【０００６】
そこで、本発明は、上記の問題を軽減し、屋外の風雪にも耐力のある太陽熱収集器を
提供するものである。
【課題を解決するための手段】
【０００７】
本発明は、上記課題に対し焦点距離の異なる四半円状のトラフ型反射鏡を有している。
【０００８】
焦点距離の短い反射鏡は、焦点距離の長い反射鏡の内側に配置され、双方の反射鏡
に共通となる焦点位置には集熱管が置かれている
【０００９】
この配置において双方の反射鏡間には、焦点方向に向かって隙間を有することとなり、
その隙間から風が抜けるため、風力を逃がす効果が発生する。
【００１０】
また、隙間を有したことにより、下側の反射鏡に雪が堆積していっても上側の反射鏡へ
の積雪は遅れる上、積雪が溶ける場合には上側の反射鏡の雪が早めに隙間から落下
していくこととなり、太陽熱収集能力を高く維持できることとなる。
【発明の効果】
【００１１】
よって、本発明は風で受ける力を低減し、風害による機器の破損を減少させることが
可能となり、且つ積雪時にも太陽熱収集能力を極力下げないような効果を提供する
ものである。
【図面の簡単な説明】
【００１２】
【図１】本発明の一実施例による太陽熱収集器の斜視概観図である。
【図２】本発明の一実施例による太陽熱収集器の側面概観図である。
【図３】従来例による太陽熱収集器の側面概観図である。
【発明を実施するための形態】
【００１３】
次に本発明の一実施例について図面を参照して説明する。図１は本発明の一実施例の
太陽熱収集装置の斜視概観図であり、図２は本発明の一実施例の側面概観図である。
【００１４】
本発明の太陽熱収集装置は、集熱管１と集熱管１に焦点が合った四半円状トラフ型の
長焦点反射鏡２及び短焦点反射鏡２aからなっている。
【００１５】
このとき、集熱管１は太陽高度の変化に幅広く追従するために複数本の集熱管１の
集合体としてもよい。
【００１６】
短焦点反射鏡２aは長焦点反射鏡２の下側に配置され、集熱管１に向かって長焦点
反射鏡２より内側にある。
【００１７】
この状態において、太陽光は、従来の太陽熱収集器と同様に光路４を辿るため集熱
能力は同等となるが、前方から受ける風に関しては、長焦点反射鏡２と短焦点反射鏡
２aの隙間３から風の一部が逃げていくことが可能となり、反射鏡が受ける風力を低減
することが可能となる。
【００１８】
また、降雪に対しては、下方に配置されている短焦点反射鏡２aには積雪されるものの、
上方の長焦点反射鏡２には隙間３から雪が抜けていくため積雪しづらい状況となる。
【００１９】
更に、上方の長焦点反射鏡２に着雪した場合でも、雪が溶ける際には、隙間３より落下
していくため早い段階で長焦点反射鏡２の反射面が露出し、集光能力を早く回復する
ことができる。
【符号の説明】
【００２０】
１．集熱管
２．長焦点反射鏡
２a．短焦点反射鏡
３．隙間
４．光路
５．従来技術の反射鏡
６．太陽
【図１】
2012242043.tif 000003
【図２】
2012242043.tif 000004
【図３】
2012242043.tif 000005
(57)【要約】      （修正有）【課題】青色波長の変換効率が良く、日光を受光して、効率良く発電できる太陽電池の提供。【解決手段】シリコン型太陽電池の受光面に、日光を受光した時、黒色に見えるように、反射防止膜を形成する。【選択図】なし【特許請求の範囲】
【請求項１】
黒色に見える反射防止膜を形成した太陽電池。
【請求項２】
反射防止膜を白色蛍光灯で使用する蛍光体で形成した太陽電池。
【請求項３】
太陽電池基板単体での日光の青色反射光の中心波長：λに対して、反射防止膜の膜厚を、λ／４に形成した太陽電池。
【発明の詳細な説明】
【技術分野】
【０００１】
太陽電池に於いて、変換効率を改良する事を目的とした太陽電池
【背景技術】
【０００２】
従来のシリコン型太陽電池は、青色波長の変換効率が悪いため、日光を効率良く発電できていない。  
【発明の概要】
【発明が解決しようとする課題】
【０００３】
シリコン型太陽電池に於いて、青色波長の変換効率を改良し、日光を効率良く発電する。
【課題を解決するための手段】
【０００４】
シリコン型太陽電池の受光面に、日光を受光した時、黒色に見えるように反射防止膜を形成する。
【発明の効果】
【０００５】
従来のシリコン型太陽電池では、日光を受光した時、反射していた青色波長の光も、発電に使用できるようになるので、発電効率が、改良する。
【発明を実施するための形態】
【０００６】
シリコン型太陽電池の受光面に、日光を受光した時、黒色に見えるように、白色蛍光灯で使用している蛍光体を用いて、反射防止膜を形成する。
【産業上の利用可能性】
【０００７】
シリコン型太陽電池の、改良品として。
(57)【要約】      （修正有）【課題】不動産の取引形態及び金融の商品から発生する、余剰金をマネーサプライ拡大方式により、すべての自然人へ段階的マネーサプライ拡大金を供給しながら、自然人を含むすべての自然人の不動産平等所有システムのマクロのシステム構築の基礎システムを提供する。【解決手段】システムより発生する余剰金の使いみちを、その国の国民全員で決める。センターのクライアントと自然人のクライアントをダイレクトにオンライン又は、ＩＴ上のすべての方法で接続する。センターと自然人とのクライアントにより、ＩＴ通信され、自然人の不動産取引、又、自然人への不動産取引平等所有システム、前記不動産からの収入の管理、それらすべてをセンターと自然人が共同でコントロール、管理し、マネーサプライ供給方法等を決定し、自然人の口座へＩＴ等を介して送金する。【選択図】なし【特許請求の範囲】
【請求項１】
明細書全文の販売．取引システム
【請求項２】
明細書全文の計算（演算）予測プログラム．
【請求項３】
明細書全文の販売．取引レート計算システム．
【請求項４】
明細書全文の計算（演算）とレート予測プログラム
【請求項５】
明細書全文の余剰金計算（演算）とレート予測プログラム。
前記請求項１〜請求項５の処理プログラム．
【発明の詳細な説明】
【技術分野】
【０００１】自然人へのマネーサプライ拡大方式による、長期サイクル方式長期金融商品不動産取引システムに関する。【０００２】お金のない、又は経済的事情により、不動産を所有、又は取引できない自然人も多数いる。【０００３】一方、前記自然人をたすけるシステム、又は前記自然人を含むすべての自然人の不動産平等所有システムのマクロのシステムがない。
【発明が解決しようとする課題】
【０００４】本発明は上記の点にかんがみてなされたもので、不動産のすべての、そして、あらゆる取引形態をとおして、発生する不動産と金融の商品から発生する、よじょう金をマネーサプライ拡大方式により、すべての自然人へ段階的マネーサプライ拡大金を供給しながら、自然人を含むすべての自然人の不動産平等所有システムのマクロのシステム構築の基礎システムを構築することを目的とする。
【課題を解決するための手段】
【０００５】前記システムより発生するよじょう金の使いみちを、その国の国民全員で決める。センターのクライアントと自然人のクライアントをダイレクトにオンライン又は、ＩＴ上のすべての方法で接続する。
センターと自然人とのクライアントにより、ＩＴ通信され、自然人の不動産取引、又、自然人への不動産取引平等所有システム、前記不動産からの収入の管理、それら、すべて、センターと自然人が共同でコントロール、管理、マネーサプライ供給方法等を決定し、自然人の口座へＩＴ等を介して、送金する。
【０００６】自然人のほとんどの自然人が、前記の方法により、本システムに参加する。そして、経済格差が、少しずつなくなる。
【０００７】本発明により、トランスフォーメーション型コントロール型自然人主導により、社会経済を作る。
【発明を実施するための形態】
【０００８】請求項１〜請求項５にそって、システムを実施する。
【０００９】自然人とセンターのクライアントＩＴ通信によるシステムを示し、センターから自然人への送金システムを示す。（図１）
【発明の効果】
【００１０】不動産取引により、発生する．
マネーサプライ拡大マネーを、段階的に自然人へ平等に送金コントロールすることにより、世界中の経済拡差が解消できる。（かなりの年月がかかる。）
生きるための活動ヒもふえ、自然人の不満もなくなる。
【図面の簡単な説明】
【図１】自然人とセンターとの送金システムの一例を示すブロック図。
【発明を実施するための形態】
センターからダイレクトに、自然人へ送金する送金システム。（一例）
すべての送金システムも活用する。
【産業上の利用可能性】市場マネー価ちの安定につながる。
株他。
【符号の説明】１．ａ．国民クライアント
３．ｂ．不動産業者商品
５．Ｃ．センター
７．Ｄ．自然人のクライアント
９．Ｅ．金融業者商品
【図１】
2012094157.tif 000002
(57)【要約】      （修正有）【課題】障害物発見から、ブレーキを踏む時間を限りなく短くする。【解決手段】ペダル部分を折り曲げたブレーキペダル上の屈折部分に枢軸を設け、この枢軸にアクセルペダルを軸支して一体化させ、つま先でアクセルを押してアクセルペダルを回動し、かかとでブレーキを押し込むことで、ペダルから足を離さず、瞬時に減速、停止できる。【選択図】図１
2012094096.tif 000002
【特許請求の範囲】
【請求項１】
アクセルペダル（１）とブレーキペダル（２）が一体となった自動車
【請求項２】
加速（１）と減速停止（２）が一体となった制御装置を装備した自動車
【発明の詳細な説明】
【技術分野】
【０００１】  本発明は、自動車のアクセルペダルとブレーキペダルを一体にした、加速、減速、停止の制御装置に関するものである。
【背景技術】
【０００２】  従来の自動車はアクセルペダルとブレーキペダルが、別々になっていた。
【発明の概要】
【発明が解決しようとする課題】
【０００３】  これは、次のような欠点があった。
従来の自動車では走行中アクセルペダルに足を置きながら走る装置になっている。
障害物を発見してから、アクセルペダルから足を離し、ブレーキペタルへ足を踏み変えるのに、アクセルとブレーキが、別々になっているので、踏み変えるのに何秒かの時間差生じるので、事故が発生することが多いのである。
又、駐車場等に停めようとする際、隣の自動車が動き出すと本人はブレーキペダルを踏んでいるのに、自分の自動車が動いていると錯覚して、ブレーキを踏んでいる
足をアクセルに置き換えブレーキと思い込み強く踏みこんで、急発進して大きな事故が多発している。
本発明は、以上のような欠点をなくすためになされたものである。
【課題を解決するための手段】
【０００４】  そして、本発明は上記を解決するため、アクセルペダルとブレーキペダルを一体化したものである。
片方の足をアクセルペダルとブレーキペダルに同時に乗せながら自動車を走らせ加速させたいときは、足の前（つまさき）で踏みこみ、減速、停止させたいときは土踏まずと、足の後方（かかと）で踏みこむ
又、あわてて、間違ってアクセルを強く踏み込んだときは、必ず、ブレーキペダルが強く踏みこまれるように設計されている。
【発明の効果】
【０００５】  片方の足をアクセルペダルとブレーキペダルに同時に乗せているので障害物を発見しても、今迄のように、足を踏み変えることなくそのまま、足の土踏まずと、後方（かかと）で踏みこめば、アクセルペダルは、加速から元に戻り、ブレーキペダルが踏みこまれ、瞬時に停止することができる。
人間は走る時（つま先）で走り、止まる時は（かかと）に力を入れて踏ん張って止まります。この装置もよく似た動作で自動車が動いたり止まったりする、人の本能に合った設計である。
【図面の簡単な説明】
【０００６】
【図１】本発明のブレーキペダルを踏んでいる図である。
【図２】本発明のアクセルペダルを踏んでいる図である。
【発明を実施するための形態】
【０００７】以下、本発明を実施するための形態について説明する。
ブレーキペダルの上部の一部にアクセルペダルを設ける。
アクセルペダルは足の裏と同じ位の大きさで一枚物で土踏まず付近を芯にして、円弧に動きます。
つま先で押しますと、加速します。かかとで、押しますと、減速します。
強くかかとを押しますとブレーキペダルが作動し停止します。
本発明は、以上のような構造である。
【符号の説明】
【０００８】１    アクセルペダル
２    ブレーキペダル
３    足
【図１】
2012094096.tif 000003
【図２】
2012094096.tif 000004